(57)【要約】【課題】記録再生装置のリモコンにカメラを設置することで、家庭内のアミューズメント機器として使用したり、番組予約コードを読み取ることで番組録画予約をすること。【解決手段】記録再生装置に対して番組予約録画できるリモコン装置において、静止画を撮影するカメラ１１と、チャネル切り替え等の通常リモコンモードとカメラの撮影モードとを切り替える通常リモコンモード・撮影モード切替ボタン１７と、静止画を撮影する通常撮影モードと番組録画予約コードのマクロ撮影モードとを切り替える通常撮影モード・マクロ撮影モード切替ボタン１６と、を備え、通常リモコンモード・撮影モード切替ボタン１７を撮影モードに切り替え、通常撮影モード・マクロ撮影モード切替ボタン１６をマクロ撮影モードに切り替えて、カメラで番組予約コードを撮影し、当該番組予約コードを記録再生装置に送信して番組予約する。【選択図】図１
2006295617.tif 000002
【特許請求の範囲】
【請求項１】
テレビジョンを接続した記録再生装置に対して番組予約録画できるリモコン装置において、
静止画を撮影する撮影手段と、
通常のリモコン機能であるチャネル切り替えや音量調節などの通常リモコンモードと、前記撮像手段による撮影モードと、を切り替える通常リモコンモード・撮影モード切替ボタンと、
通常の静止画を撮影する通常撮影モードと、番組録画予約コードをキャプチャーするマクロ撮影モードと、を切り替える通常撮影モード・マクロ撮影モード切替ボタンと、を備え、
前記通常リモコンモード・撮影モード切替ボタンを前記撮影モードに切り替え、前記通常撮影モード・マクロ撮影モード切替ボタンをマクロ撮影モードに切り替えて、前記撮像手段で前記番組予約コードを撮影し、当該番組予約コードを前記記録再生装置に送信する
ことを特徴とする撮影手段付きリモコン装置。
【請求項２】
テレビジョンを接続した記録再生装置に対して番組予約録画できるリモコン装置において、
静止画を撮影する撮影手段と、
通常のリモコン機能であるチャネル切り替えや音量調節などの通常リモコンモードと、前記撮像手段による撮影モードと、を切り替える通常リモコンモード・撮影モード切替ボタンと、
通常の静止画を撮影する通常撮影モードと、番組録画予約コードをキャプチャーするマクロ撮影モードと、を切り替える通常撮影モード・マクロ撮影モード切替ボタンと、を備え、
前記通常リモコンモード・撮影モード切替ボタンを前記撮影モードに切り替え、前記通常撮影モード・マクロ撮影モード切替ボタンを通常撮影モードに切り替えて、前記撮像手段で被写体を撮影し、
前記撮影した被写体像を前記リモコン装置の送信ボタンの操作で前記記録再生装置に送信する
ことを特徴とする撮影手段付きリモコン装置。
【請求項３】
請求項２において、
前記送信された被写体像を前記リモコン装置の録画ボタンの操作で前記記録再生装置に保存することを特徴とする撮影手段付きリモコン装置。
【請求項４】
請求項２において、
前記リモコン装置の送信ボタンの操作で前記記録再生装置に送信された前記被写体像を前記テレビジョンに表示することを特徴とする撮影手段付きリモコン装置。
【請求項５】
テレビジョンを接続した記録再生装置に対して番組予約録画できるリモコン装置において、
静止画を撮影する撮影手段と、
通常のリモコン機能であるチャネル切り替えや音量調節などの通常リモコンモードと、前記撮像手段による撮影モードと、を切り替える通常リモコンモード・撮影モード切替ボタンと、
通常の静止画を撮影する通常撮影モードと、番組録画予約コードをキャプチャーするマクロ撮影モードと、を切り替える通常撮影モード・マクロ撮影モード切替ボタンと、を備え、
前記通常リモコンモード・撮影モード切替ボタンを切り替えることによって、前記通常のリモコン機能または前記撮像手段による撮影機能を実行でき、
前記通常撮影モード・マクロ撮影モード切替ボタンを切り替えることによって、前記撮像手段で被写体を撮影する撮影機能または前記撮像手段で前記番組予約コードを撮影する撮影機能を実行でき、
前記実行したそれぞれの実行内容を前記リモコン装置の送信ボタンの操作で前記記録再生装置に送信する
ことを特徴とする撮影手段付きリモコン装置。
【請求項６】
請求項１に記載の撮影手段付きリモコン装置から送信されてきた番組予約コードに基づいて番組録画を実行する記録再生装置。
【発明の詳細な説明】
【技術分野】
【０００１】
本発明は、家庭等に普及しているテレビジョン及び記録再生装置（番組録画装置）のリモコン装置の付加機能に関するものである。
【背景技術】
【０００２】
リモコンの付加機能としてビデオカメラを備え、リモコン予約装置からのリクエスト信号にビデオカメラで撮影した映像データを対応付けして送信するような技術が既に提案されている（例えば、特許文献１を参照）。
【０００３】
この特許文献１に開示されたカラオケ演奏装置およびビデオカメラ付きリモコン予約装置について、図４と図５を参照しながら説明する。図４はビデオカメラ付きリモコン予約装置の外観を示し、図５はこのリモコン予約装置の内部構成をブロック図である。図示するビデオカメラ付リモコン予約装置において、カメラ１０１、キャプチャーボタン１０３、取り込みボタン１０５を操作して予約者を撮影し、撮影映像を一時保管し、カラオケ歌番号をリモコンで予約する際に、カメラ１０１で撮影した予約者映像も合わせてカラオケ演奏装置に送信する。
【０００４】
図５に示すように、ＣＣＤカメラ５１で撮影した予約者の映像をフラッシュメモリ７７に記憶しておくとともにＬＣＤにその映像を表示する。また、操作ボタン群９９によってリクエスト信号を作成する。
【０００５】
カラオケ演奏装置本体はリモコン予約装置から送られてくるリクエスト信号に含まれる楽曲ＩＤと映像データとを対応付けて予約リストに登録し、楽曲の演奏中または演奏の前後において、予約リストに各楽曲ＩＤに対応付けられている映像データを再生しディスプレイに表示する。このように、カラオケ演奏装置本体における予約状況確認リスト表示で、歌番号と撮影した予約者の顔を表示することで、誰が予約した歌であるかを分かり易くしている。
【特許文献１】特開２００３−２８０６７３号公報
【発明の開示】
【発明が解決しようとする課題】
【０００６】
しかしながら、上記の特許文献１に示される従来のビデオカメラ付きリモコン装置は、従来のカラオケ演奏装置への予約において、カメラ機能を有してるだけであり、且つ従来のテレビジョン及び記録再生装置に付属するリモコン装置は、テレビジョン用においてはチャンネル切替、音量調整、入力機器切替機能を有するに過ぎず、記録再生装置用においては前述の機能に記録再生制御機能が加わっただけであり、非常に限られた機能しか有しておらず、家庭内でのアミューズメント機器としての利用への配慮はされていなかった
また、記録再生装置にはリモコンによる予約機能が付いているが、従来のリモコンにおいては、新聞及び雑誌などに記載された番組録画予約コード（Ｇコード等）を、リモコンで番組番号入力を手動操作で行う必要があり、操作性が非常に悪いという課題があった。
【課題を解決するための手段】
【０００７】
前記課題を解決するために、本発明は主として次のような構成を採用する。  
テレビジョンを接続した記録再生装置に対して番組予約録画できるリモコン装置において、
静止画を撮影する撮影手段と、
通常のリモコン機能であるチャネル切り替えや音量調節などの通常リモコンモードと、前記撮像手段による撮影モードと、を切り替える通常リモコンモード・撮影モード切替ボタンと、
通常の静止画を撮影する通常撮影モードと、番組録画予約コードをキャプチャーするマクロ撮影モードと、を切り替える通常撮影モード・マクロ撮影モード切替ボタンと、を備え、
前記通常リモコンモード・撮影モード切替ボタンを前記撮影モードに切り替え、前記通常撮影モード・マクロ撮影モード切替ボタンをマクロ撮影モードに切り替えて、前記撮像手段で前記番組予約コードを撮影し、当該番組予約コードを前記記録再生装置に送信する構成とする。
【０００８】
また、テレビジョンを接続した記録再生装置に対して番組予約録画できるリモコン装置において、
静止画を撮影する撮影手段と、
通常のリモコン機能であるチャネル切り替えや音量調節などの通常リモコンモードと、前記撮像手段による撮影モードと、を切り替える通常リモコンモード・撮影モード切替ボタンと、
通常の静止画を撮影する通常撮影モードと、番組録画予約コードをキャプチャーするマクロ撮影モードと、を切り替える通常撮影モード・マクロ撮影モード切替ボタンと、を備え、
前記通常リモコンモード・撮影モード切替ボタンを前記撮影モードに切り替え、前記通常撮影モード・マクロ撮影モード切替ボタンを通常撮影モードに切り替えて、前記撮像手段で被写体を撮影し、
前記撮影した被写体像を前記リモコン装置の送信ボタンの操作で前記記録再生装置に送信する構成とする。
【発明の効果】
【０００９】
本発明によると、テレビジョン及び記録再生装置のためのリモコン装置にカメラ機能を具備させることで、身近に置かれたリモコンカメラで撮影した被写体像をテレビジョンに表示したり、記録再生装置に保存しておくことができる。
【００１０】
また、リモコン装置のカメラを用いて、そのマクロ撮影で番組録画予約コードを読み取ることによって、コードを手動入力することなく自動的に記録再生装置の番組予約を可能とすることができる。
【発明を実施するための最良の形態】
【００１１】
本発明の実施形態に係る撮影手段（カメラ）付きリモコン装置及び記録再生装置（番組録画装置）について、図１〜図３を参照しながら以下説明する。図１は本発明の実施形態に係るカメラ付きリモコン装置の外観および背面を示す図である。図２は本実施形態に係るカメラ付きリモコン装置の内部構成を示すブロック図である。図３は本実施形態に係る番組録画装置本体の内部構成を示すブロック図である。
【００１２】
図面において、１１はスチルカメラ、１２は撮影ボタン、１３は送信ボタン、１４は制御用ボタン群、１５は赤外線送信デバイス、１６は通常撮影モードとマクロ撮影で文字列キャプチャーするためのモードとの切替えボタン、１７は通常リモコン／カメラモード切替ボタン、１８は液晶表示装置、２１は入力ボタン、２２は入力ボタンインタフェース、２３は赤外線インタフェース、２４は赤外線送信デバイス、２５はスチルカメラ、２６はカメラインタフェース、２７はマイコン、３１は赤外線受信デバイス、３２は赤外線受信インタフェース、３３は番組予約コードデコード部、３４は映像出力部、３５は受信信号判定部、３６は文字列特定部、３７は制御部、をそれぞれ表す。
【００１３】
ここで、１３は撮影画像及びマクロ撮影でキャプチャーした文字列をテレビジョンまたは記録再生装置へ送信するための送信ボタンである。１４は従来リモコンにも設けられている制御用ボタン群であり、１６は通常撮影モードと、新聞、雑誌等で記載される番組録画予約コード（Ｇコード）をマクロ撮影でキャプチャーするためのモードとを切替えるためのボタンである。
【００１４】
図２に示すリモコンのブロック構成において、入力ボタン２１、入力ボタンインタフェース２２、赤外線インタフェース２３、赤外線送信デバイス２４は、従来のリモコン装置に含まれる機能部分である。本実施形態に係るリモコン装置は、カメラ２５とカメラの静止画入力／文字列入力インタフェース２６とリモコン内部の処理全般を司るマイコン２７を備えている。
【００１５】
図３に示す、本実施形態に係るリモコン装置に対応した番組録画装置本体の内部構成において、赤外線受信デバイス３１、赤外線受信インタフェース３２、番組予約コードデコード部３３、映像出力部３４は、従来の番組録画装置本体に含まれる機能部分である。本実施形態に係る番組録画装置本体は、受信信号判定部３５、文字列特定部３６、制御部３７を備えている。なお、番組録画装置本体としては、他に駆動部、電源部その他機能部分が加わるが、従来技術と同一であり本発明とは直接関係が無いため、ここでは説明を省略する。
【００１６】
次に、本発明の実施形態に係るリモコン装置の動作について説明する。図１において、ボタン１７が通常リモコンモードに設定された場合は、従来のリモコンの機能であるチャネル切替、音量調節、入力切換の役割を果たす。また、ボタン１７がカメラ撮影モードに設定された場合は、本実施形態に係るリモコン装置はスチルカメラとして機能し、カメラ１１により映像を取り込み、この映像を液晶表示装置１８に表示させる。
【００１７】
このとき、ボタン１６で通常カメラ撮影モードに設定した場合は、ユーザーにとって撮影したい映像があれば、撮影ボタン１２を押して、その映像を一時的にリモコンに保持し、保持が完了すれば、次に、送信ボタン１３を押せば、撮影映像を番組録画装置本体（記録再生装置本体）へ送信し、撮影映像を番組録画装置本体を通じて、テレビジョンへ表示させることができ、また、従来の番組録画装置のリモコン機能である録画ボタンを押せば、番組録画装置本体の記録媒体へ保存することができる。なお、リモコン装置の相手側の機器として、番組録画装置本体を例示して説明したが、番組録画するものに限らず、種々の信号を記録再生する記録再生装置であっても当然によい。
【００１８】
また、ボタン１６が、通常カメラ撮影モードに替えて、マクロ撮影機能、すなわち番組録画予約コード（Ｇコード）をキャプチャーするモードに設定された場合、カメラ１１を新聞、雑誌等で記載されている番組予約コード番号へ近づけて、コード番号が液晶表示装置１８の中心に来るようにリモコン装置を動かし、液晶表示装置１８の中心にセットされたとき、撮影ボタン１２を押して、コード番号のデータをリモコン装置に取り込み、リモコン装置に内蔵されているマイコンによって取り込まれたデータを文字列に変換する。
【００１９】
そして、文字列変換後に送信ボタン１３を押して、番組録画装置本体にこの文字列を送信すれば、コード番号のデータを受信した番組録画装置本体は、図３で受信信号判定部３５を介して文字列特定部３６で受信したデータが、Ｇコードデータであることを認識し、Ｇコードデータを使用して、従来の記録再生装置が備えている番組録画予約機能により、番組録画予約が実現できる。
【００２０】
また、最近のテレビジョンではカード記録、再生機能を有しているので、本実施形態に係るリモコン装置において、このカード記録再生機能と連動させれば、通常撮影モードで撮影したデータをテレビジョンに送信してテレビ画面に表示させるとともに、カード記録することにも利用でき、また、テレビジョン・記録再生装置を一体化したシステムにも利用することができる。
【００２１】
以上説明したように、本発明の実施形態に係るカメラ付きリモコン装置は、次のような構成と機能乃至作用を奏することを特徴とするものである。すなわち、従来のテレビジョン及び記録再生装置に付属しているリモコンに、カメラ撮影機能、マクロ撮影による番組録画予約コードをキャプチャーする機能を持たせることにより、家庭内で不意に撮影したい場面に遭遇した時、スチルカメラを探すことなく、家庭内ではテーブルに置かれていることの多いリモコンを使って撮影し、かつそれを手軽に記録再生装置に記録できることで、いつでも家庭内の決定的場面を逃すことがなく、家庭内のアミューズメント機器の１つとして使用することが可能となる。
【００２２】
また、番組予約コードのキャプチャー機能を有することで、従来は新聞、雑誌等から数値を見ながらリモコンに入力して（手動操作で）いくという煩わしい作業から開放され、複雑な操作を行うことなく簡単に番組録画予約が実現でき、利便性の大きな向上を実現することができる。
【図面の簡単な説明】
【００２３】
【図１】本発明の実施形態に係るカメラ付きリモコン装置の外観および背面を示す図である。
【図２】本実施形態に係るカメラ付きリモコン装置の内部構成を示すブロック図である。
【図３】本実施形態に係る番組録画装置本体の内部構成を示すブロック図である。
【図４】従来技術におけるビデオカメラ付きリモコン予約装置の外観を示す図である。
【図５】従来技術におけるリモコン予約装置の内部構成をブロック図である。
【符号の説明】
【００２４】
１１  スチルカメラ
１２  撮影ボタン
１３  送信ボタン
１４  制御用ボタン群
１５  赤外線送信デバイス
１６  通常撮影モードとマクロ撮影で文字列キャプチャーするためのモードとの切替えボタン
１７  通常リモコン／カメラモード切替ボタン
１８  液晶表示装置
２１  入力ボタン
２２  入力ボタンインタフェース
２３  赤外線インタフェース
２４  赤外線送信デバイス
２５  スチルカメラ
２６  カメラインタフェース
２７  マイコン
３１  赤外線受信デバイス
３２  赤外線受信インタフェース
３３  番組予約コードデコード部
３４  映像出力部
３５  受信信号判定部
３６  文字列特定部
３７  制御部
【図１】
2006295617.tif 000003
【図２】
2006295617.tif 000004
【図３】
2006295617.tif 000005
【図４】
2006295617.tif 000006
【図５】
2006295617.tif 000007